(57)【要約】      （修正有）【課題】ラトルノイズを抑制した表示パネル駆動機構、および、表示ユニットを提供する。【解決手段】サブパネル２２に対して進退するスライダ１１と、スライダ１１に回動可能に連結されたリフトアーム１３と、リフトアーム１３の後端側をガイドするガイド溝１２１を有するアームガイド１２と、スライダ１１とリフトアーム１３とを回動可能に連結する軸１３ａと、リフトアーム１３の一方の端部に配置され、ガイド溝１２１にガイドされる軸１３ｂと、リフトアーム１３を軸１３ａ周りに回転付勢するねじりコイルバネとを備える。ガイド溝１２１は、表示パネルが正立した状態において、軸１３ｂと接触し、リフトアーム１３は、表示パネルの正立状態では、ねじりコイルバネによる付勢力と、軸１３ｂがガイド溝１２１から受ける反力とによって、表示パネルを閉じる方向に付勢される。【選択図】図１
2020106754.tif 000002
【特許請求の範囲】
【請求項１】
表示パネルが配置された電子機器本体の表面に対して進退するスライダ部材と、
前記スライダ部材に回動可能に連結されたアーム部材と、
前記アーム部材の後端側をガイドするガイド部を有するガイド部材と、
前記スライダ部材と前記アーム部材とを回動可能に連結する第一軸と、
前記アーム部材の一方の端部に配置され、前記ガイド部にガイドされる第二軸と、
前記アーム部材を前記第一軸周りに回転付勢する付勢部材と、
を備え、
前記スライダ部材は、前記電子機器本体の表面に対して前進することにより、前記表示パネルの上部を下側に移動させながら前記表示パネルの下部を前進させて、前記表示パネルを開いた状態にし、前記電子機器本体の表面に対して前進した状態から後退して元の位置に戻ることにより、前記表示パネルの上部を上側に移動させながら前記表示パネルの下部を後退させて、前記表示パネルを閉じて正立状態にし、
前記ガイド部は、前記表示パネルが正立した状態において、前記第二軸と接触し、
前記アーム部材は、前記表示パネルの正立状態では、前記付勢部材による付勢力と、前記第二軸が前記ガイド部から受ける反力とによって、前記表示パネルを閉じる方向に付勢される、
ことを特徴とする表示パネル駆動機構。
【請求項２】
前記第一軸は、前記スライダ部材と前記アーム部材の中間部とを回動可能に連結する、
請求項１に記載の表示パネル駆動機構。
【請求項３】
前記ガイド部は、前記スライダ部材の進退方向に対して傾斜して配置されている、
請求項１または２に記載の表示パネル駆動機構。
【請求項４】
前記アーム部材の他方の端部に配置され、前記表示パネルと前記アーム部材とを回動可能に連結する第三軸、
を備え、
前記アーム部材は、前記第三軸によって、前記表示パネルの下部を回動可能に支持する、
請求項１から３のいずれか一項に記載の表示パネル駆動機構。
【請求項５】
前記表示パネルの表示面と反対側の裏面に配置された緩衝部材と、
前記電子機器本体の表面に配置された突起部材と、
を備え、
前記スライダ部材は、前記表示パネルが正立した状態において、前記緩衝部材と前記突起部材とが接触した後、前記電子機器本体の表面に対してさらに後退可能である、
請求項１から４のいずれか一項に記載の表示パネル駆動機構。
【請求項６】
請求項１から５のいずれか一項に記載した表示パネル駆動機構と、
表示パネルと、
を備えることを特徴とする表示ユニット。
【発明の詳細な説明】
【技術分野】
【０００１】
本発明は、表示パネル駆動機構、および、表示ユニットに関する。
【背景技術】
【０００２】
例えば、ＡＶ一体型のカーナビゲーションシステムまたはカーオーディオなどの車両用の電子機器は、使用時に、スライダを電子機器本体の表面に対して前進させて、表示パネルを傾倒させる技術が知られている（例えば、特許文献１参照）。
【先行技術文献】
【特許文献】
【０００３】
【特許文献１】特開２００７−１０６２９６号公報
【発明の概要】
【発明が解決しようとする課題】
【０００４】
車両用の電子機器は、使用を終了する際に、スライダを電子機器本体の表面に対して後退させて、表示パネルを元の姿勢に戻して正立状態にする。表示パネルが正立状態になると、表示パネルの裏面側に配置された緩衝部材と電子機器本体の表面とが接触する。これにより、ラトルノイズの発生が抑制される。ところが、車両の走行時、強い振動が発生すると、振動によってスライダが前進して、表示パネルが緩衝部材から離間するおそれがある。
【０００５】
そこで、スライダを後退させる方向に付勢するバネを配置することによって、スライダの前進を規制することが知られている。ところが、バネを配置する場合、スライダの移動量に応じて、スライダを動作させるモータの負荷が増大する。これにより、バネの荷重の上限が規制される。また、バネがラトルノイズの要因となるおそれがある。
【０００６】
また、表示パネルがフルクローズ状態で動作する電気的なブレーキ機構を配置することによって、スライダの前進を規制することが考えられる。ところが、電気的なブレーキ機構を配置すると、電子機器が大型化したり、電子機器の構成部品数が増加したりするおそれがある。
【０００７】
本発明は、上記に鑑みてなされたものであって、ラトルノイズを抑制した表示パネル駆動機構、および、表示ユニットを提供することを目的とする。
【課題を解決するための手段】
【０００８】
上述した課題を解決し、目的を達成するために、本発明に係る表示パネル駆動機構は、表示パネルが配置された電子機器本体の表面に対して進退するスライダ部材と、前記スライダ部材に回動可能に連結されたアーム部材と、前記アーム部材の後端側をガイドするガイド部を有するガイド部材と、前記スライダ部材と前記アーム部材の中間部とを回動可能に連結する第一軸と、前記アーム部材の一方の端部に配置され、前記ガイド部にガイドされる第二軸と、前記アーム部材を前記第一軸周りに回転付勢する付勢部材と、を備え、前記スライダ部材は、前記電子機器本体の表面に対して前進することにより、前記表示パネルの上部を下側に移動させながら前記表示パネルの下部を前進させて、前記表示パネルを開いた状態にし、前記電子機器本体の表面に対して前進した状態から後退して元の位置に戻ることにより、前記表示パネルの上部を上側に移動させながら前記表示パネルの下部を後退させて、前記表示パネルを閉じて正立状態にし、前記ガイド部は、前記スライダ部材の進退方向に対して傾斜して配置され、前記表示パネルが正立した状態において、前記第二軸と接触し、前記アーム部材は、前記表示パネルの正立状態では、前記付勢部材による付勢力と、前記第二軸が前記ガイド部から受ける反力とによって、前記表示パネルを閉じる方向に付勢される、ことを特徴とする。
【０００９】
上述した課題を解決し、目的を達成するために、本発明に係る表示ユニットは、上記の表示パネル駆動機構と、表示パネルとを備えることを特徴とする。
【発明の効果】
【００１０】
本発明によれば、ラトルノイズを抑制した表示パネル駆動機構、および、表示ユニットを提供することができるという効果を奏する。
【図面の簡単な説明】
【００１１】
【図１】図１は、第一実施形態に係る表示ユニットの正立状態を示す側面図である。
【図２】図２は、第一実施形態に係る表示ユニットのサブパネルを示す斜視図である。
【図３】図３は、第一実施形態に係る表示ユニットを示す斜視図である。
【図４】図４は、第一実施形態に係る表示ユニットを示す斜視図である。
【図５】図５は、図１の部分拡大図である。
【図６】図６は、第二実施形態に係る表示ユニットの正立状態を示す側面図である。
【図７】図７は、図６の部分拡大図である。
【図８】図８は、図６の部分拡大図である。
【発明を実施するための形態】
【００１２】
［第一実施形態］
以下に添付図面を参照して、本発明に係る表示パネル駆動機構１０を備えた電子機器１の実施形態を詳細に説明する。なお、以下の実施形態により本発明が限定されるものではない。
【００１３】
以下の説明においては、電子機器１を車両の運転席より前側に搭載した状態で各方向を定義する。前後方向とは、車両直進時の進行方向と平行な方向であり、運転席側に向かう方向を前後方向の「前」、前方ウインドシールド側に向かう方向を前後方向の「後」とする。前後方向を、Ｘ軸方向とする。左右方向とは、前後方向に対して水平面において直交する方向である。運転席側から見て、左手側が「左」、右手側が「右」である。左右方向を、Ｙ軸方向とする。上下方向とは、前後方向および左右方向に対して直交する方向である。上下方向を、Ｚ軸方向とする。したがって、前後方向、左右方向および鉛直方向は、３次元で直交する。
【００１４】
図１は、第一実施形態に係る表示ユニットの正立状態を示す側面図である。電子機器１は、記憶媒体から情報を読み取る読取ユニット（電子機器本体）２と、読み取った情報を表示させる表示ユニット３と、表示パネル駆動機構１０とを有する。電子機器１は、例えば、ＡＶ一体型のカーナビゲーションシステムまたはカーオーディオなどである。
【００１５】
図２を用いて、読取ユニット２について説明する。図２は、第一実施形態に係る表示ユニットのサブパネルを示す斜視図である。読取ユニット２は、記憶媒体が装着されるメディアスロット２２１が配置され、記憶媒体から情報を読み取る。読取ユニット２は、記憶媒体から読み取った情報と、表示パネルで検出された操作情報とに基づいて、図示しない制御部を介して電子機器１の各部に制御信号を出力する。読取ユニット２は、筐体２１と、サブパネル２２とを有する。
【００１６】
筐体２１は、例えば、車両のクラスタパネル、センターコンソール、インストルメントパネルに取り付けられている。筐体２１は、表示ユニット３の表示パネルと向かい合うサブパネル（電子機器本体の表面）２２が配置される。
【００１７】
サブパネル２２は、正面（表面）に向かって開口している。サブパネル２２の正面２２ａには、メディアスロット２２１と、突起部（突起部材）２２２とが配置される。
【００１８】
突起部２２２は、サブパネル２２の正面２２ａに一体に形成される。突起部２２２は、サブパネル２２の正面２２ａの右上部と左上部に一対として配置される。突起部２２２は、サブパネル２２の正面２２ａから前側に突設される。突起部２２２の接触面２２２ａは、平面状に形成される。突起部２２２は、表示ユニット３の正立状態において、表示ユニット３の緩衝部材３３に接触する。表示ユニット３のフルクローズ時、突起部２２２と緩衝部材３３とが、最初に接触するように形成される。
【００１９】
図３、図４を用いて、表示ユニット３について説明する。図３は、第一実施形態に係る表示ユニットを示す斜視図である。図４は、第一実施形態に係る表示ユニットを示す斜視図である。表示ユニット３は、表示パネル駆動機構１０によって、正立状態にする正立動作と、逆チルト状態にする逆チルト動作と、チルト状態にするチルト動作とを行う。正立状態とは、表示ユニット３がサブパネル２２と平行な方向に沿って起立した状態である。逆チルト状態とは、表示ユニット３が表示面３１を下向きにして、サブパネル２２に対して前傾した状態である。チルト状態とは、表示ユニット３が表示面３１を上向きにして、サブパネル２２に対して後傾した状態である。
【００２０】
表示ユニット３が正立状態または逆チルト状態のとき、表示ユニット３は、読取ユニット２に対して閉じた状態である。言い換えると、表示ユニット３が正立状態または逆チルト状態のとき、サブパネル２２は表示ユニット３で覆われている。なお、表示ユニット３が逆チルト状態のとき、表示ユニット３が読取ユニット２に対して前傾して隙間が空いているが、傾動可能角が小さいので、サブパネル２２に対する操作ができない状態である。このため、ここでは、表示ユニット３が逆チルト状態であるときも、閉じた状態であるという。
【００２１】
表示ユニット３のチルト動作時に、表示ユニット３は、読取ユニット２のサブパネル２２に対してスライドし開閉する。表示ユニット３がチルト状態のとき、読取ユニット２は開いた状態で、サブパネル２２が露出する。表示ユニット３は、下部がサブパネル２２から遠ざかりながら、上部がサブパネル２２に沿って下側にスライドすることで、サブパネル２２に対して開いた状態となる。表示ユニット３は、下部がサブパネル２２に近づきながら、上部がサブパネル２２に沿って上側にスライドすることでサブパネル２２に対して閉じた状態となる。
【００２２】
表示ユニット３は、表面に配置された表示面３１と枠部材であるパネル枠３２とを含む表示パネル３０と、緩衝部材３３と、表示ユニット３の姿勢を変化させる表示パネル駆動機構１０とを有する。表示パネル３０は、表示面３１とパネル枠３２とを含む。
【００２３】
パネル枠３２は、側面の下部に円柱状の軸（第三軸）３２ａを有する。軸３２ａは、中心軸がＹ軸方向と平行な方向に沿っている。軸３２ａには、表示パネル駆動機構１０のリフトアーム１３の一方の端部が回動可能に配置される。軸３２ａは、リフトアーム１３の動作に連動して移動する。
【００２４】
パネル枠３２は、側面の上部に円柱状の軸３２ｂを有する。軸３２ｂは、軸３２ａより上側に配置される。軸３２ｂは、中心軸がＹ軸方向と平行な方向に沿っている。軸３２ｂには、表示パネル駆動機構１０のチルトアーム１４の一方の端部が回動可能に配置される。軸３２ｂは、チルトアーム１４の動作に連動して移動する。
【００２５】
緩衝部材３３は、パネル枠３２の後面の右上部と左上部に一対として配置される。緩衝部材３３は、表示ユニット３の正立状態において、サブパネル２２の突起部２２２に接触する。緩衝部材３３は、弾性変形可能な材料で形成される。緩衝部材３３は、表示ユニット３の正立状態において、突起部２２２によって圧縮される。緩衝部材３３の接触面３３ａは、平面状に形成される。
【００２６】
表示パネル駆動機構１０は、表示ユニット３に正立動作、チルト動作、および、逆チルト動作をさせる。表示パネル駆動機構１０は、筐体２１の左側と右側とそれぞれ配置される。左側と右側の表示パネル駆動機構１０は、同様に構成される。左側に配置された表示パネル駆動機構１０と、右側に配置された表示パネル駆動機構１０とは、同期して動作する。以下の説明では、特に区別を要しない場合、一方の表示パネル駆動機構１０について説明する。表示パネル駆動機構１０は、スライダ（スライダ部材）１１と、アームガイド（ガイド部材）１２と、リフトアーム（アーム部材）１３と、チルトアーム１４と、ねじりコイルバネ（付勢部材）１５とを有する。
【００２７】
スライダ１１は、サブパネル２２に対してＸ軸方向に進退する。スライダ１１は、図示しない駆動ユニットで駆動され、サブパネル２２に対して前進したり後退したりする。スライダ１１は、リフトアーム１３を軸支する。
【００２８】
スライダ１１は、表示ユニット３のフルクローズ状態において、突起部２２２と緩衝部材３３とが接触した位置からさらに後退可能な移動区間を有する。スライダ１１が、サブパネル２２の突起部２２２と表示ユニット３の緩衝部材３３とが接触した位置からさらに後退することによって、突起部２２２が緩衝部材３３を圧縮する。これにより、表示パネル駆動機構１０内の各軸のガタ、および、各ガイド溝と係合した各軸とのガタが片側に寄せられる。
【００２９】
筐体２１の左側に配置されたスライダ１１と、右側に配置されたスライダ１１とは、筐体２１の底面と平行に配置された基部を介して連結される。左側に配置されたスライダ１１と、右側に配置されたスライダ１１とは、同期して動作する。スライダ１１は、Ｘ軸方向に長い矩形の板状に形成される。スライダ１１には、ガイド溝１１１と、ガイド溝１１２とが配置される。
【００３０】
図１に示すように、ガイド溝１１１は、Ｘ軸方向に沿って形成される。ガイド溝１１１には、チルトアーム１４の軸１４ａがスライド可能に係合する。ガイド溝１１１は、チルトアーム１４の軸１４ａをガイドする。ガイド溝１１１は、第一傾斜部１１１１と、第二傾斜部１１１２とを有する。第一傾斜部１１１１と第二傾斜部１１１２とは連通する。
【００３１】
第一傾斜部１１１１は、第二傾斜部１１１２より前側に配置される。第一傾斜部１１１１は、前側から後側に向かうにつれて下側から上側に向かって傾斜する。第一傾斜部１１１１には、表示ユニット３の正立状態と逆チルト状態との間の状態において、軸１４ａが位置する。第一傾斜部１１１１は、軸１４ａの直径と同程度の幅を有する。
【００３２】
第二傾斜部１１１２は、第一傾斜部１１１１の後側に配置される。第二傾斜部１１１２は、前側から後側に向かうにつれて上側から下側に向かって傾斜する。第二傾斜部１１１２は、第一傾斜部１１１１よりＸ軸方向に対する傾斜角度が小さい。第二傾斜部１１１２には、表示ユニット３の逆チルト状態とチルト状態との間の状態において、軸１４ａが位置する。第二傾斜部１１１２は、軸１４ａの直径と同程度の幅を有する。
【００３３】
図１に示すように、ガイド溝１１２は、ガイド溝１１１より前側に配置される。ガイド溝１１２は、リフトアーム１３の軸（第二軸）１３ｂが摺動可能に係合する。ガイド溝１１２は、リフトアーム１３の軸１３ｂをガイドする。
【００３４】
アームガイド１２は、筐体２１に固定される。アームガイド１２は、スライダ１１に沿って配置される。アームガイド１２は、リフトアーム１３をガイドする。アームガイド１２には、ガイド溝（ガイド部）１２１と、ガイド溝１２２とが配置される。
【００３５】
図５を用いて、ガイド溝１２１について説明する。図５は、図１の部分拡大図である。ガイド溝１２１は、アームガイド１２の前部に配置される。ガイド溝１２１は、前側に向かって開口している。ガイド溝１２１には、リフトアーム１３の軸１３ｂがスライド可能に係合する。ガイド溝１２１は、開口部１２１１と、第一傾斜部１２１２と、第二傾斜部１２１３とを有する。開口部１２１１と第一傾斜部１２１２と第二傾斜部１２１３とは連通する。
【００３６】
開口部１２１１は、アームガイド１２の前部に配置される。開口部１２１１は、前側から後側に向かうにつれてＺ軸方向の高さが低くなる。開口部１２１１は、前側から進入したリフトアーム１３の軸１３ｂを、第一傾斜部１２１２へ案内する。
【００３７】
第一傾斜部１２１２は、開口部１２１１より後側で、第二傾斜部１２１３より前側に配置される。第一傾斜部１２１２は、前側から後側に向かうにつれて下側から上側に向かって傾斜する。第一傾斜部１２１２は、リフトアーム１３の軸１３ｂの直径と同程度の幅を有する。
【００３８】
第二傾斜部１２１３は、第一傾斜部１２１２より後側に配置される。第二傾斜部１２１３は、前側から後側に向かうにつれて下側から上側に向かって傾斜する。第二傾斜部１２１３は、第一傾斜部１２１２よりＸ軸方向に対する傾斜角度が大きい。第二傾斜部１２１３の接触面１２１３ａには、表示ユニット３の正立状態において、リフトアーム１３の軸１３ｂの外周が接触する。第二傾斜部１２１３は、軸１３ｂの直径と同程度の幅を有する。接触面１２１３ａは、前側から後側に向かうにつれて下側から上側に向かって傾斜する傾斜面である。
【００３９】
ガイド溝１２２は、ガイド溝１２１より後側に配置される。ガイド溝１２２は、上下方向に延在する。ガイド溝１２２は、前側から後側に向かうにつれて上側から下側に向かって傾斜する。ガイド溝１２２には、チルトアーム１４の軸１４ａがスライド可能に係合する。ガイド溝１２２は、軸１４ａの直径と同程度の幅を有する。
【００４０】
リフトアーム１３は、逆チルト動作時、表示ユニット３の下部がサブパネル２２に接触しないように、表示ユニット３の下部を上側に持ち上げる。リフトアーム１３は、パネル枠３２の下部を回動可能に支持する。リフトアーム１３は、スライダ１１に回動可能に連結される。より詳しくは、リフトアーム１３は、スライダ１１の進退動作に連動して回動する。筐体２１の左側に配置されたリフトアーム１３と、右側に配置されたリフトアーム１３とは、図示しない連結軸によって連結される。左側に配置されたリフトアーム１３と、右側に配置されたリフトアーム１３とは、同期して動作する。
【００４１】
リフトアーム１３は、スライダ１１の前側の端部に回動可能に配置される。リフトアーム１３は、Ｖ字型に形成される。リフトアーム１３は、第一アーム部１３１と、第二アーム部１３２と、第一アーム部１３１と第二アーム部１３２との間に位置する中間部１３３とを有する。第一アーム部１３１と第二アーム部１３２と中間部１３３とは、一体に形成される。
【００４２】
第一アーム部１３１は、リフトアーム１３の一方のアーム部である。第一アーム部１３１は、中間部１３３から延在する。本実施形態では、第一アーム部１３１は、表示ユニット３の正立状態において、後側から前側に向かうにつれて下側から上側に傾斜している。本実施形態では、第一アーム部１３１は、表示ユニット３の正立状態において、中間部１３３から前上側に延在する。
【００４３】
第一アーム部１３１は、前側の端部に、パネル枠３２の軸３２ａが回動可能に連結される。第一アーム部１３１は、軸３２ａによって、パネル枠３２の下部を回動自在に支持する。
【００４４】
第二アーム部１３２は、リフトアーム１３の他方のアーム部である。第二アーム部１３２は、中間部１３３から延在する。本実施形態では、第一アーム部１３１と第二アーム部１３２とが成す角度は、鈍角である。本実施形態では、第二アーム部１３２は、表示ユニット３の正立状態において、後側から前側に向かうにつれて下側から上側に傾斜している。本実施形態では、第二アーム部１３２は、表示ユニット３の正立状態において、中間部１３３から後上側に延在する。
【００４５】
第二アーム部１３２は、後側の端部に、円柱状の軸１３ｂが配置される。軸１３ｂは、中心軸がＹ軸方向と平行な方向に沿っている。軸１３ｂは、スライダ１１のガイド溝１１２に摺動可能に係合する。軸１３ｂは、アームガイド１２のガイド溝１２１にスライド可能に係合する。
【００４６】
中間部１３３には、円柱状の軸（第一軸）１３ａが配置される。軸１３ａは、中心軸がＹ軸方向と平行な方向に沿っている。軸１３ａは、スライダ１１の前側の端部に回動可能に配置される。リフトアーム１３は、軸１３ａを中心にスライダ１１に対して回動可能である。言い換えると、リフトアーム１３は、スライダ１１によって、軸１３ａ回りに回動可能に支持される。
【００４７】
このように構成されたリフトアーム１３には、ねじりコイルバネ１５によって、軸１３ａを中心に時計回り（第一方向）の回転力が付勢される。言い換えると、リフトアーム１３には、ねじりコイルバネ１５によって、表示ユニット３を閉じる方向の回転力が付勢される。
【００４８】
リフトアーム１３は、スライダ１１が前進すると、前進する。リフトアーム１３の前進時、軸１３ｂは、アームガイド１２のガイド溝１２１を第二傾斜部１２１３および第一傾斜部１２１２を通過して、開口部１２１１から外れて前側に移動する。
【００４９】
リフトアーム１３は、スライダ１１が前進した位置から後退すると、後退する。リフトアーム１３の後退時、軸１３ｂは、アームガイド１２のガイド溝１２１へ開口部１２１１から進入して、第一傾斜部１２１２を通過して、第二傾斜部１２１３まで移動する。軸１３ｂは、表示ユニット３の正立状態となる位置までリフトアーム１３が後退すると、第二傾斜部１２１３の接触面１２１３ａと接触する。軸１３ｂには、接触面１２１３ａを介して、表示ユニット３の自重によって、リフトアーム１３を時計回りに回動させる付勢力が作用する。言い換えると、軸１３ｂには、接触面１２１３ａを介して、表示ユニット３の自重によって、表示ユニット３に対して閉じる方向の回転力が付勢される。
【００５０】
チルトアーム１４は、パネル枠３２の上部を回動可能に支持する。より詳しくは、チルトアーム１４は、軸３２ｂを介してパネル枠３２の上部を回動可能に支持する。チルトアーム１４は、スライダ１１に回動可能に連結される。
【００５１】
チルトアーム１４には、一方の端部にパネル枠３２の軸３２ｂが連結される。
【００５２】
チルトアーム１４には、他方の端部に円柱状の軸１４ａが配置される。軸１４ａは、中心軸がＹ軸方向と平行な方向に沿っている。軸１４ａは、スライダ１１のガイド溝１１１に進退可能に係合する。軸１４ａは、アームガイド１２のガイド溝１２２に進退可能に係合する。軸１４ａは、図示しない線バネ、または、ワッシャによって左右方向の移動が規制される。
【００５３】
このように構成されたチルトアーム１４は、スライダ１１が前進すると、軸１４ａが、ガイド溝１１１とガイド溝１２２とに沿って摺動する。スライダ１１が前進して表示ユニット３がチルト動作すると、チルトアーム１４が回動して、軸３２ｂが下側に移動する。
【００５４】
また、スライダ１１が前進した位置から後退すると、軸１４ａが、ガイド溝１１１とガイド溝１２２とに沿って摺動する。スライダ１１が前進した位置から後退して表示ユニット３の正立動作により、チルトアーム１４が反対方向に回動して、軸３２ｂが上側に移動する。
【００５５】
ねじりコイルバネ１５は、リフトアーム１３に対して軸１３ａを中心に時計回りに回転付勢する。言い換えると、ねじりコイルバネ１５は、リフトアーム１３に、表示ユニット３に対して閉じる方向の回転力を付勢する。なお、ねじりコイルバネ１５は、スライダ１１を直接付勢するものではないので、ラトルノイズの要因となるものではない。
【００５６】
駆動ユニットは、スライダ１１の駆動源である。駆動ユニットは、モータを駆動して、ギヤ部とラックとを介して、スライダ１１をサブパネル２２に対して進退させる。
【００５７】
次に、このように構成された電子機器１の逆チルト動作とチルト動作と作用について説明する。電子機器１をフルオープン状態にする場合、電子機器１は、正立状態から逆チルト状態を経てチルト状態であるフルオープン状態になる。電子機器１をフルオープン状態からフルクローズ状態にする場合、電子機器１は、チルト状態から逆チルト状態を経て正立状態であるフルクローズ状態になる。
【００５８】
まず、表示ユニット３の逆チルト動作について説明する。逆チルト動作は、表示ユニット３の正立状態から開始される。逆チルト動作が開始されると、スライダ１１が駆動ユニットで駆動され、サブパネル２２に対して前進する。スライダ１１の前進時、リフトアーム１３の軸１３ｂが、アームガイド１２のガイド溝１２１の第二傾斜部１２１３から第一傾斜部１２１２に沿って移動することによって、リフトアーム１３が反時計回り（第二方向）に回動する。リフトアーム１３が反時計回りに回動することによって、表示ユニット３の下部が持ち上げられる。また、チルトアーム１４の軸１４ａが、スライダ１１のガイド溝１１１の第一傾斜部１１１１に沿って前側から後側に移動する。このようにして、表示ユニット３が所定角度まで前傾した逆チルト状態になる。表示ユニット３は、表示面３１を下向きにした逆チルト状態になる。
【００５９】
つぎに、表示ユニット３のチルト動作について説明する。チルト動作は、表示ユニット３の正立状態から逆チルト動作を経由して行われる。正立状態から逆チルト動作を経由してチルト動作が開始されると、スライダ１１が、サブパネル２２に対してさらに前進する。スライダ１１の前進時、チルトアーム１４の軸１４ａが、スライダ１１のガイド溝１１１の第二傾斜部１１１２に沿って前側から後側に移動する。また、リフトアーム１３は、スライダ１１に連動して前進する。リフトアーム１３の前進時、軸１３ｂは、アームガイド１２のガイド溝１２１の開口部１２１１から外れて前側に移動する。これらにより、表示ユニット３の上部を下側に移動させながら表示ユニット３の下部を前進させて、表示ユニット３を開いた状態にする。このようにして、表示ユニット３は、表示面３１を上向きにしたチルト状態になる。表示ユニット３がサブパネル２２に対して開き、チルト動作が完了してフルオープン状態になる。
【００６０】
表示ユニット３をチルト状態から正立状態に戻す場合について説明する。スライダ１１を、サブパネル２２に対して後退することで、表示ユニット３が逆チルト状態を経由して正立状態に戻る。スライダ１１の後退時、チルトアーム１４の軸１４ａが、スライダ１１のガイド溝１１１の第二傾斜部１１１２に沿って後側から前側に移動する。これらにより、表示ユニット３の上部を上側に移動させながら表示ユニット３の下部を後退させて、表示ユニット３を閉じた状態する。また、リフトアーム１３は、スライダ１１に連動して後退する。リフトアーム１３の後退時、軸１３ｂは、アームガイド１２のガイド溝１２１へ開口部１２１１から進入して、第一傾斜部１２１２まで移動する。このようにして、表示ユニット３は、チルト状態から正立状態に戻る途中で、表示面３１を下向きにした逆チルト状態になる。
【００６１】
そして、スライダ１１を、サブパネル２２に対してさらに後退する。リフトアーム１３の軸１３ｂが、アームガイド１２のガイド溝１２１の第一傾斜部１２１２から第二傾斜部１２１３に沿って移動することによって、リフトアーム１３が時計回りに回動する。リフトアーム１３が時計回りに回動することによって、表示ユニット３の下部が押し下げられる。また、チルトアーム１４の軸１４ａが、スライダ１１のガイド溝１１１の第一傾斜部１１１１に沿って後側から前側に移動する。このようにして、表示ユニット３は、逆チルト状態を経由して正立状態に戻る。
【００６２】
表示ユニット３の正立状態、言い換えると、フルクローズ状態について説明する。表示ユニット３は、サブパネル２２の開口に収容される。
【００６３】
表示ユニット３を正立状態に戻すとき、サブパネル２２とパネル枠３２とが近接すると、パネル枠３２の緩衝部材３３の接触面３３ａとサブパネル２２の突起部２２２の接触面２２２ａとが最初に接触する。緩衝部材３３と突起部２２２とが接触した後、スライダ１１がさらに後進する。これにより、緩衝部材３３は突起部２２２によって押圧されて圧縮される。そして、スライダ１１を物理的に移動可能な位置までモータ駆動させて停止させる。このようにして、表示パネル駆動機構１０内の各軸のガタ、および、各ガイド溝と係合した各軸とのガタが片側に寄せられる。
【００６４】
また、ねじりコイルバネ１５によって、リフトアーム１３には、軸１３ａを中心に時計回りの回転力が付勢される。リフトアーム１３の軸１３ｂは、アームガイド１２のガイド溝１２１の第二傾斜部１２１３の接触面１２１３ａと接触している。表示ユニット３の自重によって、リフトアーム１３には、軸１３ａを中心に時計回りの回転力が付勢される。これらにより、リフトアーム１３の軸１３ｂには、時計回りの回転力が付勢される。時計回りの回転力によって付勢された軸１３ｂは、接触面１２１３ａに沿って上側に移動しようとする力、言い換えると、第二傾斜部１２１３を前側へ移動しようとする力が作用する。このようにして、表示パネル駆動機構１０内の各軸のガタ、および、各ガイド溝と係合した各軸とのガタが片側に寄せられた状態が維持される。
【００６５】
また、リフトアーム１３の軸１３ｂが接触面１２１３ａから受ける反力によって、リフトアーム１３を軸支するスライダ１１に対して後側に押し込む力が作用する。これにより、車両に特に前後方向の強い振動が発生して、スライダ１１が振動したとしても、スライダ１１が前進して緩衝部材３３と突起部２２２とが離間することが抑制される。
【００６６】
さらに、スライダ１１が振動している際に、表示パネル駆動機構１０内の各軸のガタ、および、各ガイド溝と係合した各軸とのガタが片側に寄せられた状態を維持することによって、ラトルノイズが抑制される。
【００６７】
このようにして、スライダ１１は、リフトアーム１３の中間部を軸１３ａ回りに回動可能に支持する。リフトアーム１３の一端側は、パネル枠３２の下部を軸３２ａによって回動自在に支持する。表示ユニット３を正立状態に戻すとき、緩衝部材３３と突起部２２２とが接触した後、スライダ１１がさらに後進する。これにより、緩衝部材３３は突起部２２２によって押圧されて圧縮される。そして、スライダ１１を物理的に移動可能な位置までモータ駆動させて停止させる。表示ユニット３の正立状態においては、表示パネル駆動機構１０内の各軸のガタ、および、各ガイド溝と係合した各軸とのガタが片側に寄せられた状態になる。
【００６８】
さらに、表示ユニット３の正立状態において、リフトアーム１３の他端側に配置された軸１３ｂは、アームガイド１２のガイド溝１２１の第二傾斜部１２１３の接触面１２１３ａに接触する。接触面１２１３ａは、後側から前側に向かって上側から下側に傾斜する傾斜面である。また、ねじりコイルバネ１５によって、リフトアーム１３には、軸１３ａを中心に時計回りの回転力が付勢される。さらに、リフトアーム１３の軸１３ｂは、アームガイド１２のガイド溝１２１の第二傾斜部１２１３の接触面１２１３ａと接触している。表示ユニット３の自重によって、リフトアーム１３には、軸１３ａを中心に時計回りの回転力が付勢される。これらにより、リフトアーム１３の軸１３ｂには、時計回りの回転力が付勢される。時計回りの回転力によって付勢された軸１３ｂは、接触面１２１３ａに沿って上側に移動しようとする力、言い換えると、第二傾斜部１２１３を前側へ移動しようとする力が作用する。このように、リフトアーム１３は、接触面１２１３ａによって回動が規制される。また、アームガイド１２は筐体２１に固定されているので、リフトアーム１３を軸支しているスライダ１１が後退する方向に力が作用する。このようにして、軸１３ｂが接触面１２１３ａから受ける反力によって、表示パネル駆動機構１０内の各軸のガタ、および、各ガイド溝と係合した各軸とのガタが片側に寄せられた状態が維持される。
【００６９】
上述したように、本実施形態では、スライダ１１は、リフトアーム１３の中間部を軸１３ａ回りに回動可能に支持する。リフトアーム１３の一端側は、パネル枠３２の下部を軸３２ａによって回動自在に支持する。表示ユニット３を正立状態に戻すとき、緩衝部材３３と突起部２２２とが接触した後、スライダ１１がさらに後進する。これにより、緩衝部材３３は突起部２２２によって押圧されて圧縮される。そして、スライダ１１を物理的に移動可能な位置までモータ駆動させて停止させる。表示ユニット３の正立状態においては、表示パネル駆動機構１０内の各軸のガタ、および、各ガイド溝と係合した各軸とのガタが片側に寄せられた状態にすることができる。
【００７０】
さらに、本実施形態では、表示ユニット３の正立状態において、リフトアーム１３の他端側に配置された軸１３ｂは、アームガイド１２のガイド溝１２１の第二傾斜部１２１３の接触面１２１３ａに接触する。接触面１２１３ａは、後側から前側に向かって上側から下側に傾斜する傾斜面である。また、ねじりコイルバネ１５によって、リフトアーム１３には、軸１３ａを中心に時計回りの回転力が付勢される。さらに、リフトアーム１３の軸１３ｂは、アームガイド１２のガイド溝１２１の第二傾斜部１２１３の接触面１２１３ａと接触している。表示ユニット３の自重によって、リフトアーム１３には、軸１３ａを中心に時計回りの回転力が付勢される。本実施形態では、リフトアーム１３の軸１３ｂがアームガイド１２のガイド溝１２１の接触面１２１３ａから受ける反力によって、表示ユニット３の自重が、スライダ１１を後側に押し込む力に変換される。これらにより、本実施形態は、ラトルノイズを抑制することができる。本実施形態は、ラトルノイズを抑制するために必要なねじりコイルバネ１５の荷重を低減することができる。本実施形態は、ねじりコイルバネ１５を小型化することができる。
【００７１】
本実施形態は、スライダ１１には後側に押し込む力が作用することにより、車両に特に前後方向の強い振動が発生した場合でも、スライダ１１が前進して緩衝部材３３と突起部２２２とが離間することを規制することができる。
【００７２】
このようにして、本実施形態によれば、スライダ１１に電気的なブレーキ機構を配置せずに、スライダ１１の前進を規制することができる。本実施形態によれば、表示パネル駆動機構１０が大型化したり、構成部品が増加したりすることを抑制することができる。
【００７３】
本実施形態は、スライダ１１の前進を規制するために、追加の弾性部材を配置せずに、表示パネル駆動機構１０内の各軸のガタ、および、各ガイド溝と係合した各軸とのガタによるラトルノイズの発生を抑制することができる。
【００７４】
本実施形態は、緩衝部材３３と突起部２２２とが接触した後、スライダ１１を物理的に移動可能な位置までモータ駆動させて停止させる。これにより、本実施形態は、表示パネル駆動機構１０内の各軸のガタ、および、各ガイド溝と係合した各軸とのガタを片側に寄せた状態にすることができる。本実施形態によれば、ラトルノイズの発生を抑制することができる。
【００７５】
［第二実施形態］
図６ないし図８を参照しながら、本実施形態に係る表示パネル駆動機構１０Ａを備えた電子機器１Ａについて説明する。図６は、第二実施形態に係る表示ユニットの正立状態を示す側面図である。図７は、図６の部分拡大図である。図８は、図６の部分拡大図である。本実施形態に係る電子機器１Ａは、基本的な構成は第一実施形態の電子機器１と同様である。以下の説明においては、電子機器１と同様の構成要素には、同一の符号または対応する符号を付し、その詳細な説明は省略する。本実施形態の電子機器１Ａは、表示パネル駆動機構１０Ａが、第一実施形態と異なる。
【００７６】
読取ユニット２Ａは、サブパネル２２に、Ｚ軸方方向に沿ってガイド溝２２３Ａが形成されている。ガイド溝２２３Ａは、表示ユニット３Ａのチルト動作時に、パネル枠３２の軸３２ｂＡをガイドする。ガイド溝２２３Ａの上端部には、表示ユニット３Ａの正立状態において、軸３２ｂＡが上側に向かって押し付けられる。
【００７７】
表示ユニット３Ａは、表示パネル駆動機構１０Ａによって、正立状態にする正立動作と、チルト状態にするチルト動作とを行う。
【００７８】
軸３２ａＡは、表示パネル駆動機構１０Ａのスライダ１１Ａの前側の端部が回動可能に配置される。軸３２ａＡは、スライダ１１Ａの進退動作に連動して進退する。
【００７９】
軸３２ｂＡは、読取ユニット２Ａのサブパネル２２のガイド溝２２３Ａにスライド可能に配置される。軸３２ｂＡは、スライダ１１Ａが前進すると、ガイド溝２２３Ａを下側へ移動する。軸３２ｂＡがガイド溝２２３Ａを下側へ移動すると、表示ユニット３Ａがチルト状態になる。軸３２ｂＡは、スライダ１１Ａが後退すると、ガイド溝２２３Ａを上側へ移動する。軸３２ｂＡがガイド溝２２３Ａを上側へ移動すると、表示ユニット３Ａが正立状態になる。
【００８０】
表示パネル駆動機構１０Ａは、スライダ１１Ａと、アームガイド（ガイド部材）１２Ａと、アーム部材１３Ａと、ねじりコイルバネ１５Ａとを有する。
【００８１】
スライダ１１Ａは、表示ユニット３Ａのパネル枠３２の軸３２ａＡを介して、パネル枠３２の下部を回動可能に軸支する。
【００８２】
アームガイド１２Ａは、傾斜部１２１３Ａの接触面１２１３ａＡを有する。
【００８３】
アーム部材１３Ａは、軸（第一軸）１３ａＡを介して、スライダ１１Ａに回動可能に連結される。アーム部材１３Ａは、後側の端部に軸（第二軸）１３ｂＡが配置されている。軸１３ｂＡは、スライダ１１Ａの進退時、傾斜部１２１３Ａの接触面１２１３ａＡに接触しながらスライドする。軸１３ｂＡには、表示ユニット３Ａの正立状態において、接触面１２１３ａＡを介して、表示ユニット３Ａの自重によって、アーム部材１３Ａを時計回りに回動させる付勢力が作用する。言い換えると、軸１３ｂＡには、接触面１２１３ａＡを介して、表示ユニット３Ａの自重によって、表示ユニット３Ａに対して閉じる方向の回転力が付勢される。
【００８４】
ねじりコイルバネ１５Ａは、アーム部材１３Ａに対して軸１３ａＡを中心に時計回りの回転力を付勢する。ねじりコイルバネ１５Ａは、アーム部材１３Ａに、表示ユニット３Ａに対して閉じる方向の回転力を付勢する。
【００８５】
このようにして、表示ユニット３Ａの軸３２ａＡが、スライダ１１Ａに回動可能に配置され、軸３２ｂＡが読取ユニット２Ａのサブパネル２２のガイド溝２２３Ａに沿ってスライドする構成においても、表示パネル駆動機構１０内の各軸のガタ、および、各ガイド溝と係合した各軸とのガタが片側に寄せられた状態が維持される。
【００８６】
上述したように、本実施形態では、表示ユニット３Ａの軸３２ａＡが、スライダ１１Ａに回動可能に配置され、軸３２ｂＡが読取ユニット２Ａのサブパネル２２のガイド溝２２３Ａに沿ってスライドする構成においても、表示パネル駆動機構１０内の各軸のガタ、および、各ガイド溝と係合した各軸とのガタが片側に寄せられた状態を維持することができる。本実施形態は、ラトルノイズを抑制することができる。
【００８７】
さて、これまで本発明に係る電子機器１について説明したが、上述した実施形態以外にも種々の異なる形態にて実施されてよいものである。
【００８８】
突起部２２２は、中央部に緩衝部材３３が係合する凹部を有する凹状に形成されていてもよい。表示ユニット３の正立状態において、突起部２２２と緩衝部材３３とが係合していることより、車両に上下方向の振動が発生した場合でも、緩衝部材３３が読取ユニット２のサブパネル２２から離間することを規制することができる。
【００８９】
突起部２２２が、パネル枠３２の後面に配置され、緩衝部材３３がサブパネル２２の正面２２ａに配置されてもよい。
【符号の説明】
【００９０】
１          電子機器
１０        表示パネル駆動機構
１１        スライダ（スライダ部材）
１１１      ガイド溝
１１２      ガイド溝
１２        アームガイド（ガイド部材）
１２１      ガイド溝（ガイド部）
１２１１    開口部
１２１２    第一傾斜部
１２１３    第二傾斜部
１２１３ａ  接触面
１２２      ガイド溝
１３        リフトアーム（アーム部材）
１３ａ      軸（第一軸）
１３ｂ      軸（第二軸）
１４        チルトアーム
１４ａ      軸
１５        ねじりコイルバネ（付勢部材）
２          読取ユニット（電子機器本体）
２１        筐体
２２        サブパネル（電子機器本体の表面）
２２１      メディアスロット
２２２      突起部（突起部材）
３          表示ユニット
３０        表示パネル
３１        表示面
３２        パネル枠
３２ａ      軸（第三軸）
３２ｂ      軸
３３        緩衝部材
【図１】
2020106754.tif 000003
【図２】
2020106754.tif 000004
【図３】
2020106754.tif 000005
【図４】
2020106754.tif 000006
【図５】
2020106754.tif 000007
【図６】
2020106754.tif 000008
【図７】
2020106754.tif 000009
【図８】
2020106754.tif 000010